(57)【特許請求の範囲】
【請求項１】
透液性トップシートと不透液性バックシートとの間に吸収体が介在され、両側部上にそれぞれ起立ギャザーが備えられた生理用ナプキンであって、
前記両起立ギャザーが、それぞれ
起立基端から幅方向外方に突出する内側起立ギャザーと、
起立基端が前記内側起立ギャザーの起立基端よりも外側に位置し、前記内側起立ギャザーよりも上方まで突出するとともに、少なくともこの上方に突出する部位の突出方向が幅方向内方である外側起立ギャザーと、で構成されており、
前記吸収体の側部上に固定された内側起立ギャザー基端部、及びこの内側起立ギャザー基端部の幅方向中央側の端縁を起立基端として幅方向外方に折り返されて突出する内側起立ギャザー突出部を有し、内側起立ギャザー突出部のうち前後端部が固定され、前後端部以外が非固定の起立部とされた内側起立ギャザーシートと、
前記内側起立ギャザー突出部の起立先端部に前後方向に沿って伸長状態で固定された内側起立ギャザー弾性伸縮部材とを有し、
前記内側起立ギャザーは、前記内側起立ギャザー突出部の部位により構成され、且つ吸収体を含まないものであり、
前記内側起立ギャザーの起立基端から幅方向外方に離間した位置に固定された外側起立ギャザー基端部、及びこの外側起立ギャザー基端部の幅方向中央側の端縁を起立基端として幅方向内方に突出する外側起立ギャザー突出部を有し、外側起立ギャザー突出部のうち前後端部が固定され、前後端部以外が非固定の起立部とされた外側起立ギャザーシートと、
前記外側起立ギャザー突出部の起立先端部に前後方向に沿って伸長状態で固定された外側起立ギャザー弾性伸縮部材とを有し、
前記外側起立ギャザーは前記外側起立ギャザー突出部の部位により構成され、且つ吸収体を含まないものであり、
前記内側起立ギャザーの起立基端が前記吸収体の側縁から幅方向中央側に離間している、
ことを特徴とする生理用ナプキン。
【請求項２】
前記外側起立ギャザーの起立基端が前記吸収体の幅方向外側に位置する、請求項１記載の生理用ナプキン。
【請求項３】
前記外側起立ギャザーの起立先端が、前記内側起立ギャザーの起立先端よりも幅方向内側に位置する、請求項１又は請求項２記載の生理用ナプキン。
【請求項４】
前記内側起立ギャザーの表側面が撥水性で、前記外側起立ギャザーの裏側面が親水性で、かつ前記内側起立ギャザーの起立基端と前記外側起立ギャザーの起立基端との間の表側面が前記外側起立ギャザーの裏側面におけるよりも強い親水性である、請求項１〜３のいずれか１項に記載の生理用ナプキン。
【請求項５】
前記内側起立ギャザー及び前記外側起立ギャザーが、表側に膨らんだ状態で突出する、請求項１〜４のいずれか１項に記載の生理用ナプキン。
【請求項６】
前記両起立ギャザー間に幅方向に沿うエンボスが前後方向に離間した状態で複数設けられ、これらエンボスの側端部が前記内側起立ギャザーの前後方向中心部近傍に向かう構成とされている、請求項１〜５のいずれか１項に記載の生理用ナプキン。
【発明の詳細な説明】
【技術分野】
【０００１】
本発明は、両側部上に起立ギャザーが備えられた生理用ナプキンに関するものである。
【背景技術】
【０００２】
この種の生理用ナプキンとしては、特許文献１等に開示されるものがある。この特許文献１等に開示される生理用ナプキンは、図１に符号１００として示すように、不織布シート等からなる透液性トップシート１０１とポリエチレンシートやポリエチレンシートラミネート不織布シート等からなる不透液性バックシート１０２との間に経血やおりもの等の体液を吸収する綿状パルプ等からなる吸収体１０３が介在され、両側部上にそれぞれ横漏れ防止用の起立ギャザー１１０が備えられた構造となっている。そして、この起立ギャザー１１０は、起立基端から内方向に（内側に向かって）突出する内側起立ギャザー１１１と、起立基端が当該内側起立ギャザー１１１の起立基端上又は外側に位置し、かつ起立基端から外方向に（外側に向かって）突出する外側起立ギャザー１１２と、で構成された、いわゆる二重ギャザーとされている。この従来の生理用ナプキン１００によると、両起立ギャザー１１０間の表面シート１０１上に排泄された体液の横漏れが、内側起立ギャザー１１１によって阻止され、また、仮に体液がこの内側起立ギャザー１１１を乗り越えたとしても、外側起立ギャザー１１２によって阻止される。したがって、たとえ横向きに寝たときにおいても、体液の横漏れが生じるおそれがなく、大変有用なものとされている。
しかしながら、この従来の生理用ナプキン１００には、次のような問題がある。
すなわち、従来の生理用ナプキン１００によると、トップシート１０１や吸収体１０３に吸収されにくい塊状の経血Ｋは、装着者が横向きに寝たときにおいて、トップシート１０１上を外側（下側）に向かって滑り、図２に示すように、トップシート１０１と内側起立ギャザー１１１との間で留まる。したがって、塊状の経血Ｋは、装着者が起き上がったときに、例えば、図１に示すように、トップシート１の幅方向中央側（内側）に戻り、この内側に戻った塊状の経血Ｋが装着者の肌に触れ、べたつき感などの不快感を与える。
【特許文献１】特開平１１−３１８９８１号公報
【発明の開示】
【発明が解決しようとする課題】
【０００３】
本発明が解決しようとする主たる課題は、横漏れ防止効果に優れながら、例えば、装着者が横向きに寝た状態から起き上がったときなどにおいても、装着者にべたつき感などの不快感を与えるおそれのない生理用ナプキンを提供することにある。
【課題を解決するための手段】
【０００４】
この課題を解決した本発明は、次の通りである。
〔請求項１記載の発明〕
透液性トップシートと不透液性バックシートとの間に吸収体が介在され、両側部上にそれぞれ起立ギャザーが備えられた生理用ナプキンであって、
前記両起立ギャザーが、それぞれ
起立基端から幅方向外方に突出する内側起立ギャザーと、
起立基端が前記内側起立ギャザーの起立基端よりも外側に位置し、前記内側起立ギャザーよりも上方まで突出するとともに、少なくともこの上方に突出する部位の突出方向が幅方向内方である外側起立ギャザーと、で構成されており、
前記吸収体の側部上に固定された内側起立ギャザー基端部、及びこの内側起立ギャザー基端部の幅方向中央側の端縁を起立基端として幅方向外方に折り返されて突出する内側起立ギャザー突出部を有し、内側起立ギャザー突出部のうち前後端部が固定され、前後端部以外が非固定の起立部とされた内側起立ギャザーシートと、
前記内側起立ギャザー突出部の起立先端部に前後方向に沿って伸長状態で固定された内側起立ギャザー弾性伸縮部材とを有し、
前記内側起立ギャザーは、前記内側起立ギャザー突出部の部位により構成され、且つ吸収体を含まないものであり、
前記内側起立ギャザーの起立基端から幅方向外方に離間した位置に固定された外側起立ギャザー基端部、及びこの外側起立ギャザー基端部の幅方向中央側の端縁を起立基端として幅方向内方に突出する外側起立ギャザー突出部を有し、外側起立ギャザー突出部のうち前後端部が固定され、前後端部以外が非固定の起立部とされた外側起立ギャザーシートと、
前記外側起立ギャザー突出部の起立先端部に前後方向に沿って伸長状態で固定された外側起立ギャザー弾性伸縮部材とを有し、
前記外側起立ギャザーは前記外側起立ギャザー突出部の部位により構成され、且つ吸収体を含まないものであり、
前記内側起立ギャザーの起立基端が前記吸収体の側縁から幅方向中央側に離間している、
ことを特徴とする生理用ナプキン。
【０００５】
〔請求項２記載の発明〕
前記外側起立ギャザーの起立基端が前記吸収体の幅方向外側に位置する、請求項１記載の生理用ナプキン。
【０００６】
〔請求項３記載の発明〕
前記外側起立ギャザーの起立先端が、前記内側起立ギャザーの起立先端よりも内側に位置する、請求項１又は請求項２記載の生理用ナプキン。
【０００７】
〔請求項４記載の発明〕
前記内側起立ギャザーの表側面が撥水性で、前記外側起立ギャザーの裏側面が親水性で、かつ前記内側起立ギャザーの起立基端と前記外側起立ギャザーの起立基端との間の表側面が前記外側起立ギャザーの裏側面におけるよりも強い親水性である、請求項１〜３のいずれか１項に記載の生理用ナプキン。
【０００８】
〔請求項５記載の発明〕
前記内側起立ギャザー及び前記外側起立ギャザーが、表側に膨らんだ状態で突出する、請求項１〜４のいずれか１項に記載の生理用ナプキン。
【０００９】
〔請求項６記載の発明〕
前記両起立ギャザー間に幅方向に沿うエンボスが前後方向に離間した状態で複数設けられ、これらエンボスの側端部が前記内側起立ギャザーの前後方向中心部近傍に向かう構成とされている、請求項１〜５のいずれか１項に記載の生理用ナプキン。
【発明の効果】
【００１０】
本発明によると、横漏れ防止効果に優れながら、例えば、装着者が横向きに寝た状態から起き上がったときなどにおいても、装着者にべたつき感などの不快感を与えるおそれのない生理用ナプキンとなる。
【発明を実施するための最良の形態】
【００１１】
次に、本発明の実施の形態を説明する。
図３及び図４に示すように、本形態の生理用ナプキンＸは、不繊布シートやメッシュシート等の透液性シートからなるトップシート１とポリエチレンシート等の不透液性シートからなるバックシート２との間に吸収体３が介在された基本構造となっている。
吸収体３は、経血等の体液を吸収する性質を有し、例えば、コットンや積繊パルプ、高吸収性ポリマー等で構成される。この吸収体３としては、例えば、下側吸収コアとこの下側吸収コアの幅方向中央部上に積層された下側吸収コアよりも幅狭の上側吸収コアとがクレープ紙やティシュペーパー等からなる被覆シートで額巻きされてある程度の硬性を有するコア状とされたものなども好適に使用することができる。この積層形態において、下側吸収コアは、肌に対するフィット性や吸収力を向上させるためのもので省略することができ、例えば、後述するようにエンボスの形成方法を工夫することによって、肌に対するフィット性を向上させることもできる。
また、本形態においては、トップシート１と吸収体３との間に不繊布等からなるセカンドシートを積層し、体液の拡散性向上を図ることもできる。
【００１２】
本形態の生理用ナプキンＸは、両側部上に、体液の横漏れ防止機能を有する起立ギャザー１０が設けられている。この起立ギャザー１０は、それぞれ内側起立ギャザー１１と外側起立ギャザー１２とを有するいわゆる二重ギャザーとなっている。ただし、従来の二重ギャザーと異なり、まず、内側起立ギャザー１１は、起立基端１１ａから外方向に（外側に向がって）突出する。また、外側起立ギャザー１２は、起立基端１２ａが内側起立ギャザー１１の起立基端１１ａよりも外側に位置し、かつ内側起立ギャザー１１よりも上方まで突出する。つまり、外側起立ギャザー１２の起立先端１２ｂの方が、内側起立ギャザー１１の起立先端１１ｂよりも上側に位置している。さらに、少なくともこの外側起立ギャザー１２の内側起立ギャザー１１よりも上方に突出する部位１２Ａの突出方向が、図示例では起立基端１２ａから起立先端１２ｂまでの全域の突出方向が、内方向となっている。この形態においては、まず、内側起立ギャザー１１が起立基端１１ａから外方向に突出するため、図５に示すように、装着者が横向きに寝た場合において、塊状の経血Ｋは、内側起立ギャザー１１の表側面１１ｃ上を外側に向かって滑る（移動する）。そして、外側起立ギャザー１２が当該内側起立ギャザー１１よりも上方まで突出しており、また、この上方に突出する部位１２Ａの突出方向が内方向であるため、内側起立ギャザー１１の表側面１１ｃ上を滑った経血Ｋは、当該突出部位１２Ａにぶつかる。したがって、それ以上横方向に移動することなく、この状態で留まり、横漏れは防止される。一方、装着者が横向きに寝た状態から起き上がろうとすると、図６に示すように、当該留まった塊状の経血Ｋは、外側起立ギャザー１２の裏側面１２ｃを滑って内側起立ギャザー１１と外側起立ギャザー１２との間のポケット空間２０内に入り込む。この状態となると、図７に示すように、塊状の経血Ｋの内側への移動は内側起立ギャザー１１によって阻止され、また、外側への移動は外側起立ギャザー１２によって阻止される。したがって、装着者にべたつき感などの不快感を与えるおそれがなく、横漏れも防止される。
【００１３】
ここで、内側起立ギャザー１１の起立角度α（図４参照）は特に限定されないが、通常１０〜８０°、好ましくは３０〜４５°である。起立角度αが３０°を下回ると、ポケット空間２０が形成されづらくなる。他方、起立角度αが４５°を上回ると、塊状の経血Ｋが外側に向かって移動しづらくなる。同様に、外側起立ギャザー１２の起立角度β（図４参照）も特に限定されないが、通常２０〜９０°、好ましくは４５〜６０°である。起立角度βが４５°を下回ると、ポケット空間２０の開口が狭くなり、塊状の経血Ｋがポケット空間２０内に入り込みづらくなる。他方、起立角度βが６０°を上回ると、起立先端１２ｂが起立先端１１ｂよりも内側に位置しづらく、ポケット空間２０内に入り込んだ経血Ｋを包み込むことが出来ない  。
一方、外側起立ギャザー１２を内側起立ギャザー１１よりも高く起立させる方法は特に限定されないが、各起立ギャザー１１，１２に伸長状態で固定する糸ゴム等の弾性伸縮部材の伸縮力（テンション）を、内側起立ギャザー１１におけるよりも外側起立ギャザー１２において高くする方法を採用するのが好ましい。内側起立ギャザー１１におけるテンションは、通常１００〜２００％、好ましくは１３０〜１５０％であり、外側起立ギャザー１２におけるテンションは、通常１２０〜２５０％、好ましくは１５０〜１７０％である。
【００１４】
ところで、本形態において、各起立ギャザー１１，１２の形成方法は、特に限定されない。例えば、従来から公知の、適宜のシート（ギャザーシート）を折り重ね、あるいは複数枚積層し、起立先端１１ｂ，１２ｂ部を構成するギャザーシート間に、糸ゴム等の弾性伸縮部材（内側起立ギャザー弾性伸縮部材、外側起立ギャザー弾性伸縮部材）を伸長状態でホットメルト等の接着剤によって固定する方法などを採用することができる。
特に本形態の内側起立ギャザー１１は、１枚のギャザーシートが、起立基端１１ａが形成されるように折り返され、この折返し部から一方の部位（内側起立ギャザー基端部）がトップシート１、バックシート２などにホットメルト等によって固定され、他方の部位が起立ギャザー１１を構成する形態となっている。このギャザーシートの他方の部位（内側起立ギャザー突出部）は、前後端部においてギャザーシートの一方の部位に積層された状態でホットメルト等の接着剤によって固定されており、前後端部以外は固定されていない起立部となっている。したがって、この起立部は、製品が舟形形状となる装着（使用）状態において、弾性伸縮部材（内側起立ギャザー弾性伸縮部材）の収縮力などによって、確実に起立基端１１ａから外方向に突出するように起立する。
【００１５】
他方、本形態の外側起立ギャザー１２は、１枚のギャザーシートが、起立基端１２ａが形成されるように折られ、この折返し部から一方の部位（外側起立ギャザー基端部）が内側起立ギャザー１１を構成するギャザーシート、バックシート２などにホットメルト等によって固定され、他方の部位（外側起立ギャザー突出部）が起立ギャザー１２を構成する形態となっている。このギャザーシートの他方の部位は、前後端部において、図８に示すように、内側起立ギャザー１１を構成するギャザーシートに積層された状態でホットメルト等の接着剤によって固定されており、前後端部以外は固定されていない起立部となっている。したがって、この起立部も、製品が舟形形状となる装着（使用）状態において、弾性伸縮部材（外側起立ギャザー弾性伸縮部材）の収縮力などによって、確実に起立基端１２ａから内方向に突出するように起立する。また、この形態によると、内側起立ギャザー１１が外側起立ギャザー１２よりも上方まで突出する状態になるおそれがない。
【００１６】
ここで、内側起立ギャザー１１の起立範囲Ｌ１（図３参照）、及び外側起立ギャザー１２の起立範囲Ｌ２（図３参照）は、特に限定されない。ただし、Ｌ１／Ｌ２は、通常０．７〜１、好ましくは０．８〜０．９である。Ｌ１／Ｌ２が０．８を下回ると起立角度αに対して起立角度βが大きくなりすぎ、起立先端１２ｂが起立先端１１ｂよりも内側に位置しづらくなる。他方、Ｌ１／Ｌ２が０．９を上回ると起立角度αと起立角度βに差がつきにくくなり、起立先端１２ｂが起立先端１２ａよりも上方に位置しづらくなる。
本形態において、外側起立ギャザー１２の起立先端１２ｂの方が内側起立ギャザー１１の起立先端１１ｂよりも上側に位置するようにするためには、前述した弾性伸縮部材の伸縮力の調節や、各起立ギャザー１１，１２の突出長さの調節などによることもできる。
【００１７】
本形態において、外側起立ギャザー１２を構成するギャザーシートは、吸収体３の側方にバックシート２と同位置まで延出しており、内側起立ギャザー１１を構成するギャザーシートは、吸収体３の側方にバックシート２の途中まで延出している。つまり、バックシート２と両ギャザーシートとでサイドフラップが構成されており、バックシート２と外側起立ギャザー１２を構成するギャザーシートとで本生理用ナプキンの側縁が規律されている。そして、この外側起立ギャザー１２を構成するギャザーシートとバックシート２との延出は、図３に示すように、前後方向中央部において特に長くなっており、この長くなった部分が肌着の裏側（外面側）に折り返されて止着されるウィングＷを構成している。また、この延出は、前後方向後端部においても長くなっており、この長くなった部分を臀部に対するフィット性や臀部からの体液の漏れ防止効果を向上させる、いわゆるエンドフラップＷ１としている。
【００１８】
一方、トップシート１及びバックシート２は、吸収体３よりも前後方まで延出して前後フラップを構成しており、この前後フラップの縁部がヒートシール（加熱融着）等によって接合され、本生理用ナプキンの前後縁を規律している。
ここで、バックシート２の外面には、通常、ショーツ等の肌着に対する止着部が設けられる。この止着部は、例えば、スチレン・ブタジエン共重合体やスチレン・オレフィン共重合体等からなる粘着剤を、前後方向に帯状に塗布して形成することができる。この止着部は、装着時において本生理用ナプキンＸを肌着に止着するためのものであるが、本生理用ナプキンＸを需要者に提供する段階においては、個別包装のための剥離シートなどを止着しておくこともできる。この剥離シートは、ポリエチレンシート、ポリプロピレンシート、ポリエチレンテレフタレートシート、ラミネート紙、等からなり、止着部に対して剥離可能とされる。
【００１９】
〔より好ましい形態〕
（１）本形態においては、以上図示してきたように、内側起立ギャザー１１の起立基端１１ａが吸収体３上に位置し、かつ外側起立ギャザー１２の起立基端１２ａが吸収体３の側方に位置するのが好ましい。この形態によると、内側起立ギャザー１１のほか、吸収体３の側面も、ポケット空間２０内に入り込んだ塊状の経血Ｋの内側への移動を阻止する機能を果たす。したがって、経血Ｋのトップシート１上への逆戻りが確実に防止される。この観点からの、吸収体３の厚さ（高さ）は、通常１〜１０ｍｍ、好ましくは５〜８ｍｍである。
なお、経血Ｋの逆戻り防止効果は、内側起立ギャザー１１の起立（突出）高さを高くしても得られるが、内側起立ギャザー１１の起立高さを高くすると、トップシート１上の経血Ｋの外側への移動が内側起立ギャザー１１によって阻止されてしまうおそれがある。この場合、経血Ｋはポケット空間２０内に入り込まず、トップシート１上に留まってしまうため、べたつき感などの不快感が解消されない。
経血Ｋの外側への移動は阻止せず、かつ内側への移動は阻止するという観点において、内側起立ギャザー１１の起立高さは、通常５〜１０ｍｍ、好ましくは８〜１０ｍｍである。
【００２０】
（２）本形態においては、図９に示すように、外側起立ギャザー１２の起立先端１２ｂが内側起立ギャザー１１の起立先端１１ｂよりも内側（幅方向中心側）に位置するのが好ましい。この形態によると、ポケット空間２０の表面側が外側起立ギャザー１２及び内側起立ギャザー１１によって完全に覆われた状態になるため、経血Ｋのポケット空間２０内からの流出が確実に防止される。また、装着者の動きに伴って、内側起立ギャザー１１の起立先端１１ｂが外側起立ギャザー１２の起立先端１２ｂよりも上側に位置してしまうという事態が防止される。このような観点において、外側起立ギャザー１２の起立先端１２ｂは、内側起立ギャザー１１の起立先端１１ｂよりも、通常１〜２０ｍｍ、好ましくは５〜１０ｍｍ内側に位置すると好適である。
【００２１】
（３）本形態においては、図７を参考として示すように、内側起立ギャザー１１の表側面１１ｃが撥水性で、外側起立ギャザー１２の裏側面１２ｃが親水性で、かつ内側起立ギャザー１１の起立基端１１ａと外側起立ギャザー１２の起立基端１２ａとの間の表側面（以下「底面」ともいう。）２０ｃが外側起立ギャザー１２の内側面１２ｃにおけるよりも強い親水性であると好ましい。内側起立ギャザー１１の表側面１１ｃが撥水性であると、塊状の経血Ｋが当該表側面１１ｃ上を外側に向かって円滑に滑るようになる。また、外側起立ギャザー１２の裏側面１２ｃが親水性であると、外側起立ギャザー１２の突出部位１２Ａにぶつかった塊状の経血Ｋが外側起立ギャザー１２の起立基端１２ａ側に迅速に拡散するため、経血Ｋのポケット空間２０内への入り込みが促進される。さらに、底面２０ｃが外側起立ギャザー１２の内側面１２ｃにおけるよりも強い親水性であると、経血Ｋが底面２０ｃに貼り付いた状態になり、外側起立ギャザー１２の内側面１２ｃを伝わって逆戻りするおそれがない。これらの理由から、本形態によると、経血Ｋのポケット空間２０内への閉じ込めが確実に行われる。
なお、図示例においては、底面２０ｃが内側起立ギャザー１１を構成するギャザーシートで構成されている。
【００２２】
（４）本形態においては、図１０に示すように、外側起立ギャザー１２の一部１２Ｂを突出方向が外方向となるように構成するのが好ましい（段ギャザー）。この形態によると、外側起立ギャザー１２の起立高さを高くすることができ、体液の横漏れをより確実に防止することができる。この点、段ギャザーとせずに外側起立ギャザー１２の高さを高くすることもできるが、段ギャザーとせずに外側起立ギャザー１２の高さを高くすると、捲れ等が生じやすくなるため、横漏れ防止効果発現の確実性が低下する。ちなみに、外側起立ギャザー１２の起立高さは、段ギャザーとしない場合においては、通常１０〜２０ｍｍ、好ましくは１３〜１５ｍｍであるのに対し、段ギャザーとする場合においては、通常１５〜４５ｍｍ、好ましくは２５〜３０ｍｍである。
【００２３】
（５）本形態においては、図１１に示すように、内側起立ギャザー１１及び外側起立ギャザー１２は、表側に膨らんだ状態で突出するのが好ましい。内側起立ギャザー１１が表側に膨らんだ状態で突出すると、塊状の経血Ｋが内側起立ギャザー１１上を外側に移動し易くなる。他方、外側起立ギャザー１２が表側に膨らんだ状態で突出すると、ポケット空間２０内に入り込んだ塊状の経血Ｋがポケット空間２０内から流出し難くなる。
ここで、内側起立ギャザー１１や外側起立ギャザー１２が表側に膨らんだ状態とするための具体的な方法は特に限定されない。例えば、前述した弾性伸縮部材を起立先端１１ｂ，１２ｂ近傍のみだけではなく適宜の間隔をおいて複数設け、起立先端１１ｂ，１２ｂ側の弾性伸縮部材ほど伸縮力（テンション）を強くする方法や、内側起立ギャザー１１の裏側面や外側起立ギャザー１２の裏側面１２ｃに弾性伸縮シートを伸長状態で固定する方法などを採用することができる。
【００２４】
（６）本形態においては、図３に示すように、両起立ギャザー１０，１０間に幅方向に沿うエンボスＥ１が前後方向に離間した状態で複数設けられ、これらエンボスＥ１の側端部が内側起立ギャザー１１の前後方向中心部近傍に向かう構成とされている。幅方向に沿うエンボスＥ１が前後方向に離間した状態で複数設けられていると、塊状の経血ＫはエンボスＥ１に沿って外側へ誘導されるところ、エンボスＥ１の側端部が内側起立ギャザー１１の前後方向中心部近傍に向かう構成とされていると、当該誘導された塊状の経血Ｋは、確実にポケット空間２０内に収容される。
相互に隣接するエンボスＥ１間の距離は特に限定されるものではないが、内側端部において通常１０〜２０ｍｍ、好ましくは１３〜１６ｍｍであり、外側端部（側端部）において通常５〜１０ｍｍ、好ましくは６〜８ｍｍである。
【００２５】
（７）本形態においては、図３に示すように、吸収体４の幅方向中央部に、長手方向に細長く、かつ周方向に閉合しているエンボスＥ２が形成されており、このエンボスＥ２によって区画される領域の吸収体３が、肌面側に高い中高部とされていると、好ましいものとなる。この中高部の厚みは、厚くし過ぎると吸収体３の剛性が上がり身体への密着性が低下するため通常５〜２０ｍｍ、好ましくは１３〜１８ｍｍとする。
この点、この中高部を設ける場合においては、エンボスＥ１を形成するにおいて、エンボスＥ２によって区画される領域内においてはエンボスＥ１が吸収体３にまで及ばないようにし（表面エンボス）、他方、当該領域外においてはエンボスＥ１が吸収体３にまで及ぶように形成する（フィットエンボス）とよい。
【００２６】
〔その他〕
本形態の生理用ナプキンＸは、その平面形状が特に限定されず、例えば、前後方向に関して対称であっても（エンドフラップＷ１を有しない形態）、エンドフラップＷ１を有して前後方向に関して非対称であってもよい。
【産業上の利用可能性】
【００２７】
本発明は、両側部上に起立ギャザーが備えられた生理用ナプキンとして、適用可能である。
【図面の簡単な説明】
【００２８】
【図１】従来の生理用ナプキンの模式断面図である。
【図２】横向きに寝た状態における従来の生理用ナプキンの模式断面図である。
【図３】本実施の形態の生理用ナプキンの平面図である。
【図４】図３のＩＶ−ＩＶ線矢視図である。
【図５】横向きに寝た状態における本実施の形態の生理用ナプキンの模式断面図である。
【図６】横向きに寝た状態から起き上がろうとした場合における本実施の形態の生理用ナプキンの模式断面図である。
【図７】横向きに寝た状態から起き上がった場合における本実施の形態の生理用ナプキンの模式断面図である。
【図８】前後端部における起立ギャザーの積層関係を示す模式断面図である。
【図９】生理用ナプキンの他の形態例を示す模式断面図である。
【図１０】生理用ナプキンの他の形態例を示す模式断面図である。
【図１１】生理用ナプキンの他の形態例を示す模式断面図である。
【符号の説明】
【００２９】
１…トップシート、２…バックシート、３…吸収体、１０…起立ギャザー、１１…内側起立ギャザー、１２…外側起立ギャザー、２０…ポケット空間、Ｅ１，Ｅ２…エンボス、Ｘ…生理用ナプキン。
【図１】
0004491005.tif 000002
【図２】
0004491005.tif 000003
【図３】
0004491005.tif 000004
【図４】
0004491005.tif 000005
【図５】
0004491005.tif 000006
【図６】
0004491005.tif 000007
【図７】
0004491005.tif 000008
【図８】
0004491005.tif 000009
【図９】
0004491005.tif 000010
【図１０】
0004491005.tif 000011
【図１１】
0004491005.tif 000012